(57)【要約】  実施形態によれば、複数の記録層を含む情報記録媒体において、各々の前記記録層に、円周方向にわたって複数のセグメントに分割されたプリフォーマット領域が少なくとも一つ設けられる。各々の前記記録層を識別する識別情報を含む管理情報が、その記録層における少なくとも一つの前記セグメントに、半径方向に均一な形状をもつＢＣＡマークにより記録される。隣接する前記記録層では、前記管理情報に係るＢＣＡマークが相異なるセグメントに記録される。
2013035197.tif 000002
【特許請求の範囲】
【請求項１】
複数の記録層を含む情報記録媒体において、
各々の前記記録層に、円周方向にわたって複数のセグメントに分割されたプリフォーマット領域が少なくとも一つ設けられ、
各々の前記記録層を識別する記録層識別情報を含む管理情報が、その記録層における少なくとも一つの前記セグメントに、半径方向に均一な形状をもつマークにより記録され、
隣接する前記記録層では、前記管理情報に係るマークが相異なるセグメントに記録されることを特徴とする情報記録媒体。
【請求項２】
各々の前記記録層には、その記録層の内周又は外周のいずれか一方のみに前記プリフォーマット領域が設けられることを特徴とする請求項１に記載の情報記録媒体。
【請求項３】
一つの前記記録層に係る前記管理情報は、その記録層におけるいずれか一つの前記セグメントに記録されることを特徴とする請求項２に記載の情報記録媒体。
【請求項４】
各々の前記記録層には、その記録層の内周及び外周の両方にそれぞれ前記プリフォーマット領域が設けられることを特徴とする請求項１に記載の情報記録媒体。
【請求項５】
一つの前記記録層に係る前記管理情報は、その記録層における内周の前記プリフォーマット領域又は外周に前記プリフォーマット領域のいずれか一方におけるいずれか一つの前記セグメントに記録されることを特徴とする請求項４に記載の情報記録媒体。
【請求項６】
隣接する前記記録層の前記管理情報に係るマークが、同一のセグメント及び隣接するセグメント以外のセグメントに記録されることを特徴とする請求項１に記載の情報記録媒体。
【請求項７】
異なる前記記録層の前記管理情報に係るマークが、異なるセグメントに記録されることを特徴とする請求項１に記載の情報記録媒体。
【請求項８】
複数の前記記録層の前記管理情報に係るＢＣＡマークが、同一のセグメントに記録される場合に、ＢＣＡマークにおける隣接するマークの間の間隔を、非フォーカス層となる記録層に形成されるスポット径よりも短くすることを特徴とする請求項１に記載の情報記録媒体。
【請求項９】
前記情報記録媒体は、少なくとも１層のサーボ層を有し、該サーボ層は、セグメントアドレス情報並びに前記管理情報に係るマークが記録されている前記記録層の記録層識別情報及び前記セグメントアドレスを示す情報を有することを特徴とする請求項１に記載の情報記録媒体。
【請求項１０】
セグメントアドレス情報が記録されたサーボ層及び複数の記録層を含む情報記録媒体を再生する情報再生装置において、
前記情報記録媒体は、
各々の前記記録層に、円周方向にわたって複数のセグメントに分割されたプリフォーマット領域が少なくとも一つ設けられ、
各々の前記記録層を識別する記録層識別情報を含む管理情報が、その記録層における少なくとも一つの前記セグメントに、半径方向に均一な形状をもつＢＣＡマークにより記録され、
隣接する前記記録層では、前記管理情報に係るＢＣＡマークが相異なるセグメントに記録され、
前記情報再生装置は、
前記サーボ層に記録されている前記セグメントアドレス情報をもとに、前記複数の記録層のうちの所望の記録層に係る前記プリフォーマット領域の特定のセグメントに記録されている前記管理情報を再生するためのタイミング情報を生成するための制御部を含むことを特徴とする情報再生装置。
【請求項１１】
セグメントアドレス情報が記録されたサーボ層及び複数の記録層を含む情報記録媒体を再生する情報再生装置の管理情報再生方法において、
前記情報記録媒体は、
各々の前記記録層に、円周方向にわたって複数のセグメントに分割されたプリフォーマット領域が少なくとも一つ設けられ、
各々の前記記録層を識別する記録層識別情報を含む管理情報が、その記録層における少なくとも一つの前記セグメントに、半径方向に均一な形状をもつＢＣＡマークにより記録され、
隣接する前記記録層では、前記管理情報に係るＢＣＡマークが相異なるセグメントに記録され、
前記管理情報再生方法は、
前記サーボ層に記録されている前記セグメントアドレス情報を再生し、
前記セグメントアドレス情報をもとに、前記複数の記録層のうちの所望の記録層に係る前記プリフォーマット領域の特定のセグメントに記録されている前記管理情報を再生するためのタイミング情報を生成することを特徴とする管理情報再生方法。
【請求項１２】
セグメントアドレス情報が記録されたサーボ層及び複数の記録層を含む情報記録媒体を再生する情報記録再生装置において、
前記情報記録媒体は、
各々の前記記録層に、円周方向にわたって複数のセグメントに分割されたプリフォーマット領域が少なくとも一つ設けられ、
各々の前記記録層を識別する記録層識別情報を含む管理情報が、その記録層における少なくとも一つの前記セグメントに、半径方向に均一な形状をもつＢＣＡマークにより記録され、
隣接する前記記録層では、前記管理情報に係るＢＣＡマークが相異なるセグメントに記録され、
前記情報再生装置は、
前記複数の記録層のうちの所望の記録層に係る前記プリフォーマット領域の特定のセグメントに記録されている前記管理情報に含まれる前記記録層識別情報が所望のものか否かを判定し、所望のものであると判定された場合に、該記録層識別情報を、当該記録層における所定の領域に、ユーザデータと同一の変調方式で記録するための制御部を含むことを特徴とする情報記録再生装置。
【請求項１３】
セグメントアドレス情報が記録されたサーボ層及び複数の記録層を含む情報記録媒体を再生する情報記録再生装置の識別情報再生記録方法において、
前記情報記録媒体は、
各々の前記記録層に、円周方向にわたって複数のセグメントに分割されたプリフォーマット領域が少なくとも一つ設けられ、
各々の前記記録層を識別する記録層識別情報を含む管理情報が、その記録層における少なくとも一つの前記セグメントに、半径方向に均一な形状をもつＢＣＡマークにより記録され、
隣接する前記記録層では、前記管理情報に係るＢＣＡマークが相異なるセグメントに記録され、
前記識別情報再生記録方法は、
前記複数の記録層のうちの所望の記録層に係る前記プリフォーマット領域の特定のセグメントに記録されている前記管理情報に含まれる前記記録層識別情報が所望のものか否かを判定し、
所望のものであると判定された場合に、該記録層識別情報を、当該記録層における所定の領域に、ユーザデータと同一の変調方式で記録することを特徴とする識別情報再生記録方法。
【発明の詳細な説明】
【技術分野】
【０００１】
本発明の実施形態は、情報記録媒体、情報再生装置及び管理情報再生方法、情報記録再生装置及び識別情報再生記録方法に関する。
【背景技術】
【０００２】
光ディスクのような情報記録媒体の記録容量の大容量化のために、記録層を多層化した多層型（あるいは超多層型）情報記録媒体の開発、実用化が進んでいる。一方で、記録層の増加に伴う情報記録媒体の生産性低下、特に歩留まりの悪化、製造タクトタイムの増加が問題となっている。その原因のとなる工程の一つは、トラッキングサーボと、アドレス指定のためのガイドとなるスパイラル状のトラック溝（「グルーブ」とも言う）とを、情報記録媒体の各層毎に成型加工する工程である。例えば、１０層の光ディスクであれば、異なるスタンパによる１０回の成型加工を各層ごとに行う必要がある。この工程には、加工時間を要するとともに、一層でも成形不良が発生すると、ディスク自体が不良品となる。【０００３】
これに対し、情報を記録するための複数層の記録層と、トラッキングサーボのためのサーボ層とを別々に設けるガイドレイヤー方式の情報記録媒体が検討されている。例えば、１つの光ディスク中に１層のサーボ層（ＳＬ（Servo Layer））及び４層の記録層（ＤＬ（Data Layers））を設ける技術が提案されている。この技術では、層内のグルーブはサーボ層のみに設けられており、記録層は平らな面となっている。このようなサーボ層と記録層とを別々にもつ情報記録媒体の場合には、成型加工はサーボ層のみに対して行えば良く、それゆえ、大容量化のために記録層を増やしても、成型加工の回数が増加しないという利点がある。【０００４】
しかし、ガイドレイヤー方式の情報記録媒体では、記録層に凹凸構造を設けないようにするために、層番号を判別する情報を、前もって記録層に成型記録することができず、よって、記録再生時に、記録再生ビームがフォーカスしている記録層が、複数の記録層のうちの何番目の記録層であるかを判別できないという課題がある。【０００５】
成型された情報記録媒体に後から制御又は管理のための情報を記録する方法としては、ＤＶＤ等のようにＢＣＡ情報を使用する方法が知られている。しかしながら、ＢＣＡ情報を記録する既存の方法を単にガイドレイヤー方式の情報記録媒体に適用したとしても、隣接する層の間に大きな信号の漏れ込みが発生し、これがＢＣＡ再生信号を大きく劣化させる結果となり、それゆえ、複数の層へ異なるＢＣＡ情報を記録することはできないという問題がある。【０００６】
一方、ディスクの半径方向に反射率の異なるフォーカス引き込み領域を設ける技術が存在する。この技術では、所望のフォーカスへの引き込み動作が成功する確率を高めることは可能であるが、しかしながら、引き込み動作の完了後に、実際にフォーカスされた記録層が、複数の記録層のうちの何番目の記録層であるかを判別する手段がないため、引き込み動作が成功か不成功かを正確に判定することができないという問題がある。
【先行技術文献】
【特許文献】
【０００７】
【特許文献１】特開２００２−１１７５８５号公報
【特許文献２】特開２００５−１２２８６２号公報
【発明の概要】
【発明が解決しようとする課題】
【０００８】
従来、サーボ層と記録層とを別々に設ける情報記録媒体において、複数の記録層のうちの任意の記録層への確実なアクセスを可能にするための技術は、知られていなかった。【０００９】
本実施形態は、サーボ層と記録層とを別々に設ける情報記録媒体において、複数の記録層のうちの任意の記録層への確実なアクセスを可能にする情報記録媒体、情報再生装置及び管理情報再生方法、情報記録再生装置及び識別情報再生記録方法を提供することを目的とする。
【課題を解決するための手段】
【００１０】
実施形態によれば、複数の記録層を含む情報記録媒体において、各々の前記記録層に、円周方向にわたって複数のセグメントに分割されたプリフォーマット領域が少なくとも一つ設けられる。各々の前記記録層を識別する識別情報を含む管理情報が、その記録層における少なくとも一つの前記セグメントに、半径方向に均一な形状をもつＢＣＡマークにより記録される。隣接する前記記録層では、前記管理情報に係るＢＣＡマークが相異なるセグメントに記録される。
【図面の簡単な説明】
【００１１】
【図１】一実施形態に係る情報記録媒体を例示する概観図である。
【図２】一実施形態に係る情報記録媒体を例示する断面図である。
【図３】サーボ層及び記録層を例示する構造図である。
【図４】プリフォーマット領域を例示する構成図である。
【図５】層番号とセグメント番号間の対応テーブルを例示する構成図である。
【図６】層番号とセグメント番号間の対応テーブルを例示する構成図である。
【図７】層番号とセグメント番号間の対応テーブルを例示する構成図である。
【図８】ＢＣＡマークを例示する模式図である。
【図９】ＢＣＡマークの記録を例示する説明図である。
【図１０】トラックの物理的構造を例示する説明図である。
【図１１】ウォブル変調を例示する説明図である。
【図１２】アドレス管理データのビット割り当てを例示する説明図である。
【図１３】サーボ層のアドレス領域の一例を示すレイアウト図である。
【図１４】サーボ層及び記録層の一例を示すレイアウト図である。
【図１５】サーボ層及び記録層の他の例を示すレイアウト図である。
【図１６】各種情報の配置の一例を示す図である。
【図１７】一実施形態に係る情報記録再生装置の構成例を示すブロック図である。
【図１８】層番号の読み出し処理の一例を示すフローチャートである。
【図１９】ディスクのフォーマット処理の一例を示すフローチャートである。
【図２０】ＢＣＡ情報の一例を示す図である。
【図２１】管理情報の一例を示す図である。
【図２２】記録管理情報の一例を示す図である。
【発明を実施するための形態】
【００１２】
以下、図面を参照しながら本発明の実施形態に係る情報記録媒体及び情報記録再生装置について詳細に説明する。なお、以下の実施形態では、同一の番号を付した部分については同様の動作を行うものとして、重ねての説明を省略する。
【００１３】
（情報記録再生媒体）
図１及び図２に、本実施形態に係る情報記録媒体の構造の一例を示す。
【００１４】
図１は、媒体の外観の一例を表している。情報記録媒体１は、ディスク状であり、中央にクランプ用の孔５が形成されている。媒体１は、層構造を有しており、図１の例では、２層のサーボ層と複数層（ｎ＋１層）の記録層とが形成されている。光入射方向から見て、手前側に記録層が配置され、奥側にサーボ層が配置されている。
【００１５】
図２は、図１中のＡ−Ａ’の位置における媒体１の（ｎ＝９の場合の）断面図を例示している。光入射側から見て、奥側から、ディスク基板、サーボ層０番（ＳＬ０）、サーボ層間の中間層０番（ＳＭＬ０）、サーボ層１番（ＳＬ１）、サーボ層・記録層間の中間層（ＭＬ）、記録層０番（ＤＬ０）、記録層間の中間層０番（ＤＭＬ０）、記録層１番（ＤＬ１）、…、記録層９番（ＳＬ９）という順で各層が形成されており、一番手前の層はカバー層である。
【００１６】
媒体１の全体的な厚みは、例えば１．２ｍｍであり、このうち基板の厚さは、例えば約０．８ｍｍである。ＳＭＬ０の厚さは、サーボ層を再生するためのレーザ光の波長（例えば６０５ｎｍ）を考慮して決定される。ＳＭＬ０の厚さは、例えば５５μｍである。中間層ＭＬの厚さは、例えば１２６μｍである。
【００１７】
記録層の中間層の厚さには、複数の種類がある。例えば、比較的厚さの薄い第一の種類の層と、比較的厚さの厚い第二の種類の層とがある場合に、偶数番の中間層（ＤＭＬ０，ＤＭＬ２，．．．，ＤＭＬ８）の厚さを、第一の種類（例えば１２μｍ程度）とし、奇数番の中間層（ＤＭＬ１，ＤＭＬ３，．．．，ＤＭＬ９）の厚さを、第二の種類（例えば１６μｍ程度）とする。これらの厚さは、非再生層の裏面からの反射が再生層に集光しないように、すなわち多重反射の影響を低減するようにするために、隣り合う中間層どうしで厚さが異なる値となるように設定される。さらに、偶数番の中間層のグループと奇数番の中間層のグループとのうちで、数の多いグループの中間層をそれぞれ薄い層で形成し、数の少ないグループの中間層をそれぞれ厚い薄い層で形成することによって、全体の厚みをより薄くし、奥の層の再生時に発生する収差を抑えるようにしている。
【００１８】
カバー層の厚さは、例えば５０μｍである。
【００１９】
各層の厚さは、サーボ層及び記録層に集光されるレーザ波長の種類により決定される。サーボ層に集光されるサーボ用レーザには波長の長いレーザが使用されるので、層間のクロストークの影響を低減するために、サーボ層間の中間層（ＳＭＬ０）の厚さを記録層間の中間層（ＤＭＬ０，ＤＭＬ１，．．．，ＤＭＬ９）よりも厚くすることが好ましい。また、サーボ層と記録層との間では、集光スポットの層間ジャンプ動作が発生しないので、中間層（ＭＬ）の厚さをサーボ層間中間層よりもさらに厚くし、クロストークを低減することが好ましい。以上の３種類の中間層は、サーボ用レーザ光、情報記録用レーザ光に対して、１００％に近い透過率を有する。
【００２０】
サーボ層は、サブミクロンオーダの厚みの金属等の膜で構成されており、特にサーボ層０番（ＳＬ０）は、サーボ用レーザ光の一部を反射し、一部を透過させる半透過特性をもった、再生専用の薄膜が形成されている。また、サーボ層には、サーボ用のガイドとなるトラック構造が形成されている。記録層は、情報記録用レーザによる情報の記録、再生又は消去が可能な記録材料を含む多層膜によって形成されている。この多層膜は、サーボ用レーザを透過し、また、情報記録用のレーザの一部を透過し、一部を反射、吸収する特性を有している。
【００２１】
なお、本実施形態の情報記録媒体のサーボ層の層数は、２層に制限されず、１層でも３層以上でも良く、また、記録層の層数（ｎ＋１）は、２以上の任意の数であることができるが、以下では特に記載のない限り図１及び図２の例を使用して説明を行う。
【００２２】
（サーボ層と記録層の構造）
図３に、サーボ層及び記録層の構造の一例を示す。なお、図３中の５はクランプ用の孔である。
【００２３】
図３に示されるように、サーボ層ＳＬｍには、層の全面にわたってスパイラル状のガイドトラック２が形成されている。サーボ層が２層ある場合には、互いにスパイラルの方向を逆にする。例えば、図１及び図２のサーボ層ＳＬ０のスパイラルトラックが、図３のように時計周りに形成されているとすると、サーボ層ＳＬ１のスパイラルトラックは反時計周りに形成される。各層のスパイラルの方向が、この例の方向とは逆の方向に形成されても良いが、以下では特に記載のない限りこの例の方向を使用して説明を行う。スパイラルトラックは、連続的なグルーブ（凹）構造により形成される。さらに、グルーブは、半径方向に微小に振動しており（この振動は「ウォブル」とも呼ばれる）、このウォブルの周波数及び／又は位相を変調することによって、例えばトラックの番号及び周内の位置を示すアドレス情報のようなデータを記録することができる。また、この他の例として、トラックを連続したピットの列で形成しても良い。この際は、各ピットの長さを変えることで、アドレス情報のようなデータを記録することができる。
【００２４】
一方、記録層ＤＬｎには、上記のようなトラック等の構造は形成されていない。ユーザデータ等のデータは、サーボ層のトラックを基準に、所望の記録層ＤＬｎに記録される。
【００２５】
また、本実施形態では、各々の記録層ＤＬｎの内周には、内周プリフォーマット領域３−１が設けられ、外周には、外周プリフォーマット領域３−２が設けられる。図３のように、内周プリフォーマット領域３−１及び外周プリフォーマット領域３−２の両方を設けても良いし、その代わりに、内周プリフォーマット領域３−１のみを設けても良いし、又は、外周プリフォーマット領域３−２のみを設けても良い。以下では、内周プリフォーマット領域３−１と外周プリフォーマット領域３−２を総称してプリフォーマット領域３とも呼ぶ。個々の記録層のプリフォーマット領域３には、詳しくは後述するが、その記録層を識別する識別情報を含む管理情報が記録される。ここで、記録層の識別情報とは、例えば、番号情報（すなわち、層番号）である。以下では、記録層の識別情報を、層番号として説明するが、これに制限されるものではない。
【００２６】
本実施形態によれば、情報記録再生装置は、それぞれの記録層のプリフォーマット領域３に記録された管理情報を再生することによって、再生中の記録層の層番号を正確に判定することが可能となる。本実施形態では、この管理情報のプリフォーマット領域３への記録には、ＢＣＡを使用する。以下、ＢＣＡにより記録される、層番号を含む管理情報を、「ＢＣＡ情報」とも呼ぶ。
【００２７】
（プリフォーマット領域の説明）
図４に、プリフォーマット領域３の構成の一例を示す。図４に示されるように、各々のプリフォーマット領域３（各々の内周プリフォーマット領域３−１と各々の外周に設けられた外周プリフォーマット領域３−２）は、いずれも、周方向に複数の領域（以下、セグメントと呼ぶ）に分割されており（図４では５つのセグメントに分割されており）、各々のセグメントには、そのセグメント位置を識別する識別情報が付与されている。ここで、セグメントの識別情報とは、例えば、セグメント番号である。なお、以下では、セグメントの識別情報を、セグメント番号として説明するが、これに制限されるものではない。
【００２８】
本実施形態では、各々の記録層について見ると、その記録層内では、プリフォーマット領域３中の複数のセグメントから予め選択された一つのセグメントのみに、ＢＣＡ情報が記録されるものとする。また、隣接する記録層については、ＢＣＡ情報の記録位置が重ならないように、同一のセグメントにＢＣＡ情報が記録されることを禁止するという制約を設けるものとする。なお、この制約より厳しい制約を設けても良い。例えば、隣接する記録層については、同一のセグメント又は隣接するセグメントにＢＣＡ情報が記録されることを禁止するという制約を設けても良い。また、上記の制約を満たす範囲で、一つの記録層の複数のセグメントにＢＣＡ情報を記録する方法も可能である。
【００２９】
各々の記録層に対応するＢＣＡ情報記録位置は、例えば、記録層の層番号と、その記録層のＢＣＡ情報を記録するセグメントのセグメント番号との対応関係を定義した層番号とセグメント番号間の対応テーブルで管理しても良い。
【００３０】
図５及び図６に、記録層の層番号とプリフォーマット領域のセグメント番号との対応関係を定義した対応テーブルの例を示す。
【００３１】
図５には、記録層が１０層あり、それらの層番号が０〜９番であり、プリフォーマット領域３中に５つのセグメントがあり、それらのセグメント番号が１〜５番である場合における、層番号とセグメント番号との対応関係が例示されている。図５の割り当て例では、隣接する層同士でＢＣＡマークが記録されたセグメントが離れるように、セグメント番号が指定されている。具体的には、ＢＣＡ情報を記録するセグメント番号は、層番号が１増える毎に、２増えるよう設定されている。この例では、セグメント数５に対し、１０層の記録層があるので、同じセグメントに２回づつＢＣＡ情報が記録されるが、その間隔は常に５層分である。隣接する層どうしで、ＢＣＡ情報が記録されるセグメントが十分離れているので、情報間の信号のクロストークが低減され（ＢＣＡ再生信号の劣化が抑制され）、正確な情報の再生が可能となる。
【００３２】
図６には、記録層が１０層あり、それらの層番号が０〜９番であり、内周プリフォーマット領域３−１中に５つのセグメントがあり、それらのセグメント番号が１〜５番であり、外周プリフォーマット領域３−２中に５つのセグメントがあり、それらのセグメント番号が１〜５番である場合における、層番号とセグメント番号との対応関係を例示する。ただし、図６のテーブルでは、内周プリフォーマット領域３−１のセグメントと、外周プリフォーマット領域３−２のセグメントとを区別するために、外周プリフォーマット領域３−２のセグメントの１〜５番を、６〜１０番として管理している。図６に示すように、層番号０番から４番までの記録層では内周プリフォーマット領域３−１のみにＢＣＡ情報を記録し、層番号５番から９番までの記録層では外周プリフォーマット領域３−２のみにＢＣＡ情報を記録するように、ＢＣＡ情報を配置する場合には、ＢＣＡ情報が記録されるセグメントに重複がなく、ＢＣＡ情報の層間の干渉の影響を完全に取り除くことができる。
層番号とセグメント番号との割り当て方法は、図５及び図６以外に、様々な方法が可能である。例えば、図５の代わりに、層番号０〜４（５〜９）にそれぞれセグメント番号３，５，２，４，１若しくは５，２，４，１，３などを割り当てる方法（右回りに１つおきに割り当てる方法であって、１以外のセグメント番号から始まる方法）、あるいは、層番号０〜４（５〜９）にそれぞれセグメント番号１，２，３，４，５若しくは３，４，５，１，２などを割り当てる方法（右回り又は左回りに１つずつ順番に割り当てる方法）、あるいは、層番号０〜４（５〜９）にそれぞれセグメント番号１，４，２，５，３若しくは２，５，３，１，４などを割り当てる方法（左回りに１つおきに割り当てる方法）、層番号０〜９にそれぞれセグメント番号１,６,３,８,５,１０,２,７,４,９（内周プリフォーマット領域３−１と外周プリフォーマット領域３−２を交互に割り当てる方法）など、種々の方法が可能である。
【００３３】
また、対応テーブルのフォーマットには、様々なフォーマットが使用可能である。例えば、内周プリフォーマット領域３−１と外周プリフォーマット領域３−２の両方を設ける場合に、図６の対応テーブルの代わりに、図７のように、内周プリフォーマット領域３−１か外周プリフォーマット領域３−２かを示す内外周フラグを設けるようにしても良い。図７では、内外周フラグ０は内周プリフォーマット領域３−１を示し、内外周フラグ１は外周プリフォーマット領域３−２を示している。
【００３４】
ＢＣＡ情報が記録されたセグメント位置は、例えば、後述するサーボ層のアドレス情報に含まれるセグメント番号を基準にして、特定することが可能である。
【００３５】
なお、内周プリフォーマット領域３−１と外周プリフォーマット領域３−２の両方を使用するか又は内周プリフォーマット領域３−１のみ若しくは外周プリフォーマット領域３−２のみを使用するかについて、及び、層番号とセグメント番号との対応関係は、予め決められ、その関係を登録した対応テーブルは、あらかじめ情報記録再生装置のコントローラに記憶されても良い。このようにすることによって、サーボ層と記録層とを別々に設ける情報記録媒体において、複数の記録層のうちの任意の記録層への確実なアクセスが可能になる。
【００３６】
（ＢＣＡマーク）
図８は、ＢＣＡマークの一例を示す模式図である。
【００３７】
図８に示されるように、ＢＣＡマーク８は、半径方向に均一な形状をしたマーク８１の列によって形成されたパターンである。ただし、ここでの均一とは、ＢＣＡマークを再生するための集光スポット径に対する状態を意味している。すなわち、集光スポット以下の微細な形状変化があっても、集光スポットサイズに対して平均的に均一な形状であれば良い。このＢＣＡパターン８は、周方向に沿って（同一半径位置であるＢＣＡ領域に）記録される。より詳しくは、層番号を含む管理データ（記録データとも呼ぶ）が、例えばバイフェイズ(Biphase)又はＲＺ変調などのような変調方式によって変調された状態で、周方向に記録される。実際には、ＢＣＡパターンは、図４のように、半径方向に放射状に延びるような形状になり、情報の再生の際に、トラッキング制御を行わなくても情報の再生が可能となる利点がある。
【００３８】
二つ以上の記録層（例として、記録層Ａ及び記録層Ｂとする）において、それらのＢＣＡ情報（に係るＢＣＡマーク）が、同一のセグメント位置に記録される場合には、ＢＣＡマークのパターン（マーク列）は、フォーカス層となる記録層（例えば記録層Ａ）にフォーカスしたときに非フォーカス層となる記録層（例えば記録層Ｂ）に形成される広がったスポット径よりも短いパターン長（マーク間隔）で構成されるようにするのが望ましい。層間隔が十分に広ければ、非フォーカス層のスポット径は、情報記録再生装置の対物レンズのＮＡ（開口径）で決まる。従って、図８に示すようなＢＣＡマークのパターン長の最大値、すなわち非フォーカス層のスポット径Ｒｍａｘは、下記の式（１）によって決定することができる。  
Ｒｍａｘ＝２×ＴＡＮ（ＡＳＩＮ（ＬＮＡ／ｎ））×Ｌ    …（１）  
ここで、ＬＮＡは情報記録再生装置の対物レンズのＮＡ、ｎは情報記録再生装置の再生レーザの波長における情報記録媒体の屈折率、Ｌは該当するＢＣＡ情報が存在する層と、それと重なる位置にＢＣＡ情報が配置された別の層（非フォーカス層）との間隔を示す。また、ＴＡＮは正接関数、ＡＳＩＮは逆正弦関数である。
【００３９】
例えば、図５に例示した光ディスクの場合、層間隔は５層である。ここで、具体例として、再生装置の対物レンズＮＡをＬＮＡ＝０．８５、層間隔をＬ＝７２ｕｍ、情報記録媒体の屈折率ｎ＝１．６とすると、層番号０の再生中において層番号５に形成されるスポット径は約９０ｕｍとなる。従って、図５に例示した光ディスクの場合、パターン長はＲｍａｘ＝９０ｕｍよりも短いパターンでＢＣＡマークを記録するのが望ましい。
【００４０】
このようにすることによって、非再生のＢＣＡマークからの信号の漏れ込みを十分に抑制することができる。
【００４１】
ＢＣＡマークは、例えば、ハイパワーのレーザを記録層に照射することで記録層を変質させて反射率の変化を起こす方法、又は、記録層の成膜時にマスクを設定することで記録層に反射率が異なる構造を形成する方法等によって、記録することができるが、これらの方法に制限されない。
【００４２】
図９に、ハイパワーのレーザを用いてＢＣＡマークを記録する場合の具体例を示す。
【００４３】
図９において、（ａ）は、保存すべき記録データの一例を示す。
【００４４】
ＢＣＡ情報の記録では、まず、保存すべき記録データが、（ｂ）に示されるようにＰＥ(Phase encoding)方式で変換され、次に、ＰＥ変換された信号は、（ｃ）に示されるようにＲＺ(Return to Zero)変換される。これらの処理は、信号のＨｉｇｈとＬｏｗの切り替え頻度が記録データによらず一定になるようにするための処理である。
【００４５】
次に、ＢＣＡマークを記録するために、（ｄ）に示されるように、このＰＥ及びＲＺ変換された信号に基づいて、レーザー光の強度が変調される。ここで、例えば、ＰＥ変換及びＲＺ変換された信号のＬｏｗのレベルにあたる部分ではレーザーは媒体が変質しないパワーで発光し、Ｈｉｇｈの部分では媒体が変質するような強いパワーで発光する。
【００４６】
この結果、記録層のＢＣＡ領域には、例えば（ｅ）に示されるようなＢＣＡマークが記録される。
【００４７】
これを再生装置で再生すると、例えば（ｆ）に示されるような再生信号が得られる。
【００４８】
（トラックの物理構造）
図１０に、情報記録媒体のサーボ層に形成されたトラックの物理的な構造の一例を示す。図１０において、（ａ）は、サーボ層ＳＬｍに記録されたスパイラル状のトラック６０の様子を示している。スパイラル状のトラック６０は、図１０において（ｂ）に示されるように、「ランド」と呼ばれる面６１に、「グルーブ」と呼ばれる溝６２を彫ることで形成されている。このグルーブ溝は、アドレス情報等を含むアドレス管理データに基づく、ウォブル変調又は幅変調等によって蛇行している。
【００４９】
図１１に、ウォブル変調の例を示す。ウォブル変調は、グルーブを内外周方向に対して微小振幅のサイン波形状に振る変調であり、位相を変えることによって、１と０のシンボルを示す。図１１の例は、１ビット分の情報ビットを、ウォブル４波を１シンボルとする位相変調で、表している。例えば、図１１における（ａ）のように、はじめに内周側にむかって蛇行が進む位相を、情報ビットの“０”に割り当て、図１１における（ｂ）のように、はじめに外側に向かって進む位相を、情報ビットの“１”に割り当てる。
【００５０】
図１２に、アドレス管理データのビット割り当て例を示す。アドレス管理データは、サーボ層のレイアウトに対応した各種情報及びその他の情報を含む。この例では、アドレス管理データは、５４ビット単位で構成されており、ランドとグルーブでビット割り当てが異なる。すなわち、ランドは、３ｂｉｔのセグメント情報、１ｂｉｔのレイヤーアドレス、７ｂｉｔのセグメントアドレス、６ｂｉｔのゾーンアドレス、１ｂｉｔのパリティ、１２ｂｉｔのバッファ、１２ｂｉｔのランドトラックアドレス、１２ｂｉｔのバッファ情報からなる。また、グルーブは、３ｂｉｔのセグメント情報、１ｂｉｔのレイヤーアドレス、７ｂｉｔのセグメントアドレス、６ｂｉｔのゾーンアドレス、１ｂｉｔのパリティ、１２ｂｉｔのグルーブトラックアドレス、１２ｂｉｔのバッファ情報、１２ｂｉｔのディスク情報からなる。「セグメント情報」は、例えばゾーンの１周のセグメント数等のような、セグメントの型を示す情報であり、「レイヤーアドレス」は、例えばＳＬ０とＳＬ１等のような、サーボ層のレイヤーを識別するための情報であり、「セグメントアドレス」は、物理セグメント番号を示す情報であり、「ゾーンアドレス」は、ゾーン番号を示す情報であり、「パリティ」は、セグメント情報及び上記各アドレスデータの誤りを検出するための情報であり、「ランドトラックアドレス」と「グルーブトラックアドレス」は、いずれも、トラック１周毎に割り当てられたトラックの番号を示す情報である。また、データの一部は「ディスク情報」に割り当てられており、この部分にはアドレス情報とは異なる情報記録媒体自体の管理情報等の情報が保存される。
【００５１】
図１３に、サーボ層のアドレス領域のアドレスのレイアウトの例を示す。
【００５２】
アドレス領域は内周から外周にわたって、それぞれ複数のトラック含む同心円上のゾーンに区分けされ、それぞれゾーン番号（Ｋ）が割り当てられている。ゾーン番号はトラックの進行方向に対してインクリメントする。例えば、サーボ層ＳＬ０のゾーン番号は内周から外周に向かってインクリメントし、サーボ層ＳＬ１のゾーン番号は外周から内周に向ってインクリメントする。また、各トラックは放射状に延びる物理セグメント境界によって、物理セグメントに区分される。トラック１周に含まれる物理セグメントは、ゾーン内では一定であり、隣接する外周側のゾーンではトラック１周に含まれる物理セグメントが一つ多くなる。各物理セグメントには、物理セグメント番号（Ｊ）が割り当てられている。物理セグメント番号は、ランドグルーブ切り替え位置直後の番号を０として、トラックの進行方向にインクリメントする。さらに、トラックには、１周毎にトラック番号が与えられている。トラック番号は、ゾーン内の最初のトラックを０として、進行方向に対してインクリメントする。
【００５３】
また、物理セグメントがすべて同じ波数のウォブル変調又は幅変調を含むように、ウォブルが形成されている。従って、ゾーン内ではトラック一周に含まれる波数は一定である。結果として、ゾーン内では、ウォブル又は幅変調の物的な周期は、内周側のトラックが短く、外周側のトラックが若干長くなっている。また、各ゾーンの内周側のトラックのウォブル又は幅変調の物的な周期は、おおよそ同じ周期となっている。
【００５４】
情報記録再生装置は、記録再生の際、ウォブルの再生信号の周期が一定になるように、ディスクの回転を制御する。すなわち、ゾーン内では角速度を一定の状態で回転を行い、ゾーンをまたぐ時に各速度を変化させる。この結果、大まかにみるとディスク全体で線速度一定（ＣＬＶ）で制御が行われているような状態となる。このような方式は、ＺＣＬＶ（Zoned Constant Linear Velocity）方式と呼ばれる。
【００５５】
（各層のレイアウト）
図１４に、サーボ層及び記録層のレイアウトの一例を示す。
【００５６】
サーボ層ＳＬｍには、内周側から、内周管理領域ｍ、アドレス領域ｍ、外周管理領域ｍが配置されている。記録層ＤＬｎには、内周側から、内周プリフォーマット領域ｎ、内周フォーマット領域ｎ、情報記録領域ｎ、外周フォーマット領域ｎ、外周プリフォーマット領域ｎが配置されている。
【００５７】
サーボ層の内周管理情報及び外周管理情報は、アドレス領域とは異なる周波数でウォブル変調されたグルーブ構又はピット列によって、例えば媒体の種類、最適な記録条件などのような、当該情報記録媒体１を管理するための管理情報が記録されている。アドレス領域には、グルーブ溝によるトラックが形成され、グルーブのウォブル変調及び幅変調によって、アドレス情報が記録されている。
【００５８】
記録層の内周プリフォーマット領域及び外周プリフォーマット領域には、ディスクの出荷前に、例えばプリライター又は成膜装置等によって、例えば層番号の情報及び管理のための情報などを含むＢＣＡ情報が、放射状又は楕円状の記録マークによって記録される。ユーザ情報等の情報が記録される前には、内周フォーマット領域及び外周フォーマット領域は、何も記録されていない未記録の領域であるが、情報の記録時には、情報記録装置が記録条件を調整するテスト記録が実施される。さらに、情報記録領域に記録するユーザ情報を管理するための記録管理情報が記録される。情報記録領域には、ユーザ情報等の情報が記録される前には、何も記録されていない。情報記録時には、サーボ層のグルーブトラック及びランドトラックに従って、ユーザ情報等の情報が記録マーク列として記録される。
【００５９】
図１５に、サーボ層及び記録層のレイアウトの他の例を示す。
【００６０】
図１５の例では、サーボ層ＳＬ０の再生時の集光スポットの走査方向を内周から外周とし、サーボ層ＳＬ１の走査方向を外周から内周とする。さらに、偶数番の記録層（ＤＬ０，ＤＬ２，．．．，ＤＬ８）への情報の記録時には、トラッキング制御信号としてＳＬ０のトラックの信号を利用し、奇数番の記録層（ＤＬ１，ＤＬ３，．．．，ＤＬ９）への情報の記録時には、トラッキング制御信号としてＳＬ１のトラックの信号を利用する。ここで、図１５の情報記録媒体では、ＳＬ０に対応した偶数番の記録層のＢＣＡ情報は、内周プリフォーマット領域のみに配置され、ＳＬ１に対応した奇数番の記録層のＢＣＡ情報は、外周プリフォーマット領域のみに配置される。この結果、ＢＣＡ情報の層間でのクロストークを低減することが可能となる。さらに、連続的な記録を行った場合、偶数番の記録層では内周から外周に向って集光スポットは進み、奇数番の記録層では外周から内周に向って集光スポットが進むので、各層への記録の直前にＢＣＡ情報の再生が可能となる。また、図１５では、記録する向きの違う記録層が交互に重なる配置としたが、例えば、奥の層半分（すなわち、ＤＬ０からＤＬ４まで）をＳＬ０に対応させ、手前の層半分（すなわち、ＤＬ５からＤＬ９まで）をＳＬ１に対応させるといった配置でも良い。この場合、ＳＬ０に対応した奥側の記録層のＢＣＡ情報は内周プリフォーマット領域に配置し、ＳＬ１に対応した手前側の記録層のＢＣＡ情報は外周プリフォーマット領域に配置する。
【００６１】
（情報記録後の各層の状態）
図１６に、図１５の情報記録媒体に情報を記録した際の、記録された各種情報の配置を示す。
【００６２】
前述のように、サーボ層ＳＬ０，ＳＬ１の内周管理情報領域及び外周管理情報領域には、ディスク管理情報が記録されている。また、図示しないが、サーボ層には、内周管理情報領域及び外周管理情報領域並びにアドレス領域の前面に渡って、アドレス情報が配置されている。記録層には、内周プリフォーマット領域及び外周プリフォーマット領域の所定の位置にＢＣＡ情報が記録されている。さらに、内周フォーマット領域及び外周フォーマット領域の一部に、ＯＰＣパターン及び記録管理情報が、情報記録再生装置によって記録されている。ＯＰＣパターンは、情報記録再生装置が情報記録媒体へ記録するのに際し、事前に記録パワー及びパルス幅等を最適化するために、記録、再生されるパターンである。ここで、ＯＰＣパターンは、図１６では内周フォーマット領域のみに記録されているが、外周フォーマット領域に記録することも可能である。また、記録管理情報は、媒体の記録層の層番号及びフォーマット、ユーザ記録情報記録位置等を示す情報である。記録管理情報は、情報記録再生装置が、管理情報若しくはＢＣＡ情報等から読み出した情報、又は、自身が記録したユーザ記録情報の記録位置等から、コントローラ（図１７の場合、コントローラ５）において生成する情報である。ユーザ記録情報は、ユーザの入力した情報に、誤り訂正情報及びバッファ情報等を付加した情報である。ここで、ディスク管理情報、アドレス情報及びＢＣＡ情報は、情報記録媒体の出荷前に情報記録媒体製造装置によって記録される情報であり、ＯＰＣパターン、記録管理情報及びユーザ記録情報は、情報記録再生装置が適宜記録する情報である。
【００６３】
（情報記録再生装置）
図１７に、一実施形態に係る情報記録再生装置のブロック図の一例を示す。
【００６４】
情報記録再生装置は、記録再生のためのレーザを射出し又は受光するためのピックアップヘッド（ＰＵＨ）３、各種機構を制御するためのサーボ処理回路４、各種信号処理を行う信号処理回路５で構成されている。また、図示しないが、ＰＵＨ３は、ＰＵＨ駆動機構に接続されており、ＰＵＨ駆動機構によって媒体の半径方向に移動することが可能である。サーボ処理回路４はコントローラ５と接続されており、コントローラ５は上位のシステムからの指令に基づいて、信号処理を実施し、サーボ処理回路４等を制御する。さらに、情報記録再生装置は、情報記録媒体の駆動機構（図示せず）を有しており、情報の記録再生時には、情報記録媒体を回転駆動させる。
【００６５】
（情報記録再生装置の構成と記録時の動作）
各部の構成と、情報記録再生装置が、情報記録媒体１に情報を記録再生する際の信号の流れについて説明する。
【００６６】
（ＰＵＨ）
ＰＵＨ３は、サーボ用レーザである波長６５０ｎｍの赤色レーザの光源であるレーザダイオード（赤ＬＤ）３００と、情報記録再生用レーザである波長４０５ｎｍの青色レーザの光源であるレーザダイオード（青ＬＤ）３０１を有しており、２つのレーザを同時に点灯して、情報の記録再生を行うことが可能である。赤色レーザは、光学系３０２に入射した後、フロントモニタ用の光と媒体照射用の光に分割される。媒体照射用の光は、赤色レーザの収差補正機構３０３、対物レンズ３０４を通して、情報記録媒体１のサーボ層に集光される。また、サーボ層からの戻り光は、同じ経路をたどって光学系３０２まで戻った後、赤色レーザの受光素子３０５で電気信号に変換される。青色レーザも同様に、光学系３０２に入射した後、フロントモニタ用の光と媒体照射用の光に分割される。媒体照射用の光は、青色レーザの収差補正機構３０６、対物レンズ３０４を通して、情報記録媒体１の記録層に集光される。記録層からの戻り光は、同じ経路をたどって光学系３０２まで戻った後、青色レーザの受光素子３０７で電気信号に変換される。対物レンズ３０４は、対物レンズ駆動機構３１２によって、フォーカス方向及びトラッキング方向に駆動される他、チルト（傾き）状態もチルト制御機構４０９によって制御される。収差補正機構（赤または青）３０３，３０６は、それぞれ、通過するレーザ光に、球面、非点、コマといった各種の収差を与え、波面収差を制御する。フロントモニタ用の光は、フロントモニタ（赤または青）３０８，３０９で受光され、電気信号に変換される。
【００６７】
（サーボ処理回路）
サーボ処理回路４は、ＰＵＨ３から出力される電気信号をもとに各種の制御信号を生成してＰＵＨ３を制御する。フロントモニタ（赤または青）３０８，３０９から出力された電気信号は、サンプルホールド（Ｓ／Ｈ）回路４１０を経てパワー制御回路（赤または青）４００，４０１に入力される。該パワー制御回路４００，４０１は、この信号が所望の値となるように、レーザ駆動回路（赤または青）３１０，３１１を制御する。また、情報の記録時には、パルス変調回路４０２は、信号処理回路５からのクロック信号及び記録データ信号に基づいてレーザ駆動回路３１１を制御し、青色レーザの強度をパルス状に変調する。例えば、記録データが「１」の部分ではレーザ光の強度を高め、「０」の部分ではオフにするといった変調である。
【００６８】
受光素子（青）３０７の出力信号は、フォーカス制御回路（青）４０３、トラッキング制御回路（青）４０４に入力される。フォーカス制御回路（青）４０３は、ナイフエッジ法や、非点収差法といった方式に基づいて演算処理を実行し、フォーカス誤差信号を生成する。さらに、生成した信号を用いて、対物レンズ駆動機構３１２を制御し、青色レーザの集光スポットを所望の記録層に集光させる。記録層に記録された情報の再生時において、トラッキング制御回路４０４は、ＤＰＤ(Differential push-pull)法等の方式に基づいて演算処理を実行し、トラッキング誤差信号を生成する。さらに、生成した信号を用いて対物レンズ駆動機構３１２およびＰＵＨ駆動機構を制御し、青色レーザの集光スポットを所望のトラックに追従させる。
【００６９】
受光素子（赤）３０５の出力信号は、フォーカス制御回路（赤）４０５、トラッキング制御回路（赤）４０６に入力される。フォーカス制御回路（赤）４０５は、ナイフエッジ法や、非点収差法といった方式に基づいて演算処理を実行し、フォーカス誤差信号を生成する。さらに、生成した信号を用いて収差補正機構（赤）３０３を制御し、赤色レーザの集光スポットを所望のサーボ層に集光させる。記録層への情報の記録時には、トラッキング制御回路４０６は、プッシュプル法等の方式に基づいて演算処理を実行し、トラッキング誤差信号を生成する。さらに、生成した信号を用いて、対物レンズ駆動機構３１２およびＰＵＨ駆動機構を制御し、赤色レーザの集光スポットをサーボ層の所望のトラックに追従させる。このとき、青色レーザの集光スポットの半径位置も赤色レーザの集光スポット半径位置と同様に制御される。
【００７０】
（コントローラ）
受光素子（赤及び青）３０５，３０７からの出力信号は、サーボ処理回路４のプリアンプ（赤及び青）４１１，４１２を経てＡ／Ｄ変換回路４１３，４１４によってＡ／Ｄ変換された後、コントローラ５に入力される。コントローラ５は、入力された信号からクロック信号を生成するクロック生成ブロック５０１、アドレス情報を読み出すアドレス処理ブロック５０２、記録情報の読み出し及び書き込む情報の変換等を行う信号処理ブロック５０３、ＢＣＡ情報を読み出すＢＣＡ復調ブロック５０８、収差誤差量を算出する収差誤差計算ブロック５０６，５０７、チルト誤差量を算出するチルト誤差計算ブロック５０４，５０４等で構成されており、それぞれの機能がファームウェア等のソフトウェアまたは電子回路で実装されている。記録情報の読み出しでは、各種フィルタリング、ＰＲＭＬや復調、誤り訂正処理が実行される。書き込む情報の変換には、１７変調等の変調、ＲＳ符号(Reed-Solomon)やＬＤＰＣ(low-density parity-check code)符号を用いた誤り訂正符号化、データＩＤの挿入等の処理が行われる。ＢＣＡ情報の読み出しでは、各種フィルタリング、ＰＥ及びＲＺ変調信号の復調、誤り訂正処理等が実行される。それぞれのブロックで算出された値は、サーボ処理回路４の制御信号として使用される他、例えば読み出されたアドレス情報及び記録データなどが、図示しない上位のシステムに送信される。
【００７１】
記録層のＢＣＡ情報の信号再生は、青色レーザを用いて行う。また、ＢＣＡ情報の再生時には、情報記録再生装置は、赤色レーザを用いてサーボ層のアドレス情報を再生し、ＢＣＡ情報の半径位置情報を得る。さらに、アドレス情報に含まれるセグメント番号から、プリフォーマット領域内のＢＣＡ情報の位置情報を得ることで、正確にＢＣＡ領域に記録された情報を再生することを可能にする機能を有している。このとき、各層のＢＣＡ情報が配置されているセグメント番号は、あらかじめコントローラ５のメモリブロック５０９に保存された例えば図５のようなテーブル情報から読み出されるか、または、サーボ層の管理情報領域もしくはアドレス管理データ内のディスク情報に保存されたディスク管理情報内のテーブル情報であるＢＣＡ情報配置情報から読み出される。
【００７２】
（ＢＣＡ情報の再生）
図１８に、本実施形態の情報記録再生装置の層番号の読み出し処理のフローチャートを示す。
【００７３】
なお、図１８の手順は、例えば図１７のような情報記録再生装置から情報記録機能を省いた装置でも実施可能である。ここでは、情報を再生する機能を有する装置であって、情報を記録する機能を有するものも、情報を記録する機能を有しないものも、総称して「情報再生装置」と呼ぶものとする。
【００７４】
情報記録再生装置（情報再生装置）は、層番号の読み出しに際し、サーボ層に赤色レーザの集光スポットをフォーカスする（ステップＳ１）。
【００７５】
次に、赤色レーザ系を用いてサーボ層の内周又は外周の管理情報領域を再生し、管理情報を読み出す（ステップＳ２）。ここで、ディスク管理情報には、ディスクのフォーマットの種類が含まれている。情報記録再生装置（情報再生装置）は、コントローラ５のメモリブロック５０９に、各種ディスクのフォーマットにおけるＢＣＡ情報の配置情報（例えば、各記録層のＢＣＡ情報が記録されている半径、内周プリフォーマット領域か外周プリフォーマット領域かのフラグ情報、セグメント番号、対応したサーボ層のトラックアドレス等）が保存されており、読み出したディスクのフォーマットに従って、アクセスを予定している記録層のＢＣＡ情報記録位置を特定する。また、別の方法として管理情報に記録されているＢＣＡ情報の配置情報を読み出して、ＢＣＡ情報記録位置を特定しても良い。
【００７６】
次に、ステップＳ２で得られた情報を用いて、所望の記録層のＢＣＡ情報記録半径位置またはトラックアドレスに、ＰＵＨ３を移動する（ステップＳ３）。
【００７７】
次に、青色レーザの集光スポットを所望の記録層（第Ｎ層とする）にフォーカスする（ステップＳ４）。この際、トラッキング制御は、サーボ層のトラックに従って行われており、コントローラ５は、サーボ層からトラックアドレス、セグメント番号等の情報を読み出している。
【００７８】
次に、コントローラ５は、ステップＳ２で特定した情報、読み出し中のトラックアドレス、セグメント番号等の出現タイミングを利用して、リードゲートを生成し、所望の記録層のＢＣＡ情報位置でリードゲートをオープンする（ステップＳ５）。
【００７９】
次に、コントローラ５は、リードゲートに従って、青色レーザ系の再生信号からＢＣＡ情報を取り出し、ＢＣＡ復調ブロック５０８で再生する（ステップＳ６）。
【００８０】
次に、再生したＢＣＡ情報を復調し、ＢＣＡ情報に格納された層番号情報を読み出す（ステップＳ７）。
【００８１】
以上で、層番号の読み出しを終了する。
【００８２】
このように、ＢＣＡを再生する際に、ＢＣＡが記録されたセグメントの位置をサーボ層のアドレスから特定可能であり、ＢＣＡへのアクセス性が高い。また、フォーカス制御直後に、フォーカスした層番号の認識、確認が可能である。
【００８３】
（フォーマット方法）
本実施形態の情報記録方法では、光ディスクに対してユーザデータの記録を行う前に、光ディスクのフォーマットを行う。フォーマットによって、光ディスクの各記録層に層番号を含む記録管理情報が、通常の記録マークによって記録される。
【００８４】
図１９に、ディスクのフォーマット処理を示す。
【００８５】
本実施形態の情報記録再生装置は、フォーマットを開始したら、青色レーザを所望の記録層（第Ｎ層とする）にフォーカスする（ステップＳ１１）。フォーマット開始時には、Ｎは第０層である。
【００８６】
次に、サーボ層のアドレス情報に同期して、ＢＣＡ復調ブロック５０８のリードゲートをオープンし、ＢＣＡ情報を再生する（ステップＳ１２）。
【００８７】
次に、ＢＣＡ信号を復調し、ＢＣＡ情報に含まれる層番号を読み出す（ステップＳ１３）。
【００８８】
次に、読み出した層番号が層引き込みターゲットである層番号Ｎと一致するか否かを判定する（ステップＳ１４）。一致した場合には、ステップＳ１５に移行する。一致しない場合には、フォーカス制御が失敗している可能性があるので、ステップＳ１１に戻って、処理を再開する。
【００８９】
ステップＳ１５では、青色レーザを記録領域に移動させ、ユーザデータを記録する変調方式と同様の方式で、層番号を含む記録管理情報を、記録層に記録する。
【００９０】
次に、フォーマットの目標とする記録層の層番号を１つステップアップする（ステップＳ１６）。
【００９１】
次に、サーボ層に記録されたディスク情報を元に、目標とする層がディスクに存在するか否かを判定するステップＳ１７。存在する場合には、ステップＳ１１に移行して、新たな層のフォーマットを実施する。目標とする層が存在しない場合には、フォーマットを完了する。
【００９２】
このようなフォーマットを使用して、各記録層に、ユーザデータを記録する変調方式と同様の方式で、層番号を含む記録管理情報が記録されることによって、ユーザデータ記録中の層切り替え動作では、ＢＣＡ情報ではなく、記録管理情報を再生することで、迅速かつ正確な層番号の再生が可能になる。
【００９３】
（情報データの内容）
図２０に、ＢＣＡ情報の内容リストの一例を示す。図２１に、内周管理情報領域、外周管理情報領域またはディスク情報に保存されるディスク管理情報の内容リストを示す。これらの情報はすべて、情報記録媒体の出荷前に、媒体製造メーカによって情報記録媒体に記録される情報である。
【００９４】
図２０は、ＢＣＡ情報の内容に関するリストである。ＢＣＡ情報の各情報は、その情報が記録されている層の情報を示す。従って、ＢＣＡ情報におけるフォーマットの種類は、例えば媒体自体が複数のフォーマットの層を有するハイブリッド型である場合でも、その層のフォーマットの種類、例えば一回記録型、繰り返し記録型、再生専用型を識別するコードを示す。層番号はそのＢＣＡ情報が記録されている層の番号を示す。より詳細には、自身が記録されているセグメント番号や対応するトラックアドレス、内周プリフォーマット領域であるか外周プリフォーマット領域であるかを示す情報等を保持していても良い。情報領域配置情報は、記録層の内周及び外周フォーマット領域の開始位置と終了位置に対応したアドレス情報や、ユーザ記録情報を記録する情報記録領域の開始位置と終了位置に対応したアドレス情報を示す。再生パワー情報、記録パワー情報、記録パルス幅情報は、そのＢＣＡ情報が記録されている層に最適な記録速度等に対応した最適な再生パワーや記録パワー、記録パルスの形状を表すコードを示す。このように、サーボ層に記録層の再生パワーに関する情報が記録されているため、情報記録装置は、サーボ層再生用のレーザのみを点灯した状態でサーボ層の再生を行い、記録層に最適な再生パワーを確認した後、最適なパワーで記録層再生用のレーザを点灯することができる。これにより、高いパワー等で情報記録再生層を再生していまい、情報記録再生層に過去に記録された情報を破壊する等の問題を避けることができる。
【００９５】
図２１は、ディスク管理情報の内容に関するリストである。フォーマットの種類は、その情報記録媒体のフォーマットの種類、例えば一回記録型、繰り返し記録型、再生専用型を識別するコードを示す他、その情報記録媒体が各層でフォーマットの異なるハイブリッド型である場合には、各層がそれぞれ、何れのフォーマットであるかを示す情報である。ディスクサイズ及び転送速度は、ディスクの直径、容量等のサイズを示す情報、記録可能な速度、再生可能な速度等の情報転送速度に関わる情報を示す。ディスク構造、記録密度は、情報記録媒体のサーボ層の層の数や記録層の層の数、スパイラルの向き、記録マークのサイズやトラック間隔等を示す情報である。ＢＣＡ情報配置情報は、記録層毎の、ＢＣＡ情報が配置されている半径や対応したトラックアドレス、セグメント番号等のＢＣＡ情報が配置されている位置を表す情報である。情報領域配置情報は、記録層の内周及び外周フォーマット領域の開始位置と終了位置に対応したアドレス情報や、ユーザ記録情報を記録する情報記録領域の開始位置と終了位置に対応したアドレス情報を示す。暗号鍵情報は、ユーザ記録情報の暗号化等に用いられる暗号鍵である。再生パワー情報、記録パワー情報、記録パルス幅情報は、その情報記録媒体に最適な再生パワー、記録パワー、記録パルス幅の値を示す。
【００９６】
このように、管理情報にはＢＣＡ情報配置情報が含まれている。従って、情報再生装置はまず、サーボ層からこの情報を読み出すことで、正確にＢＣＡ情報にアクセスすることが可能となる。
【００９７】
図２２に、情報記録再生装置が記録層の内周フォーマット領域又外周フォーマット領域に記録する記録管理情報の内容に関するリストを示す。
【００９８】
記録フォーマットの種類は、管理情報に記録されている情報記録媒体のフォーマットの種類、記録管理情報が記録されている記録層のフォーマットの種類、及び情報記録再生装置が記録の際に使用した、連続記録やランダム記録といった記録モードを表す情報である。層番号は、ＢＣＡ情報の層番号から転載した情報である。ユーザ記録情報記録位置情報は、情報記録再生装置が情報領域のどの位置にユーザ記録情報を記録したかを示す情報である。ドライブ情報は、情報の記録を行った情報記録再生装置の型番等を示す情報である。学習後、記録パワー情報、記録パルス幅情報は、管理情報の再生パワー情報、記録パワー情報、記録パルス情報の転載の他、ＯＰＣパターン等を用いた記録学習の結果最適化された記録パワー情報、記録パルス情報を示す情報である。欠陥管理情報は、情報記録媒体の欠陥の位置や欠陥の検出に伴って、ユーザ記録情報の記録位置を変更した履歴すなわち交替アドレスや交替方法等を示す情報である。
【００９９】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【図１】
2013035197.tif 000003
【図２】
2013035197.tif 000004
【図３】
2013035197.tif 000005
【図４】
2013035197.tif 000006
【図５】
2013035197.tif 000007
【図６】
2013035197.tif 000008
【図７】
2013035197.tif 000009
【図８】
2013035197.tif 000010
【図９】
2013035197.tif 000011
【図１０】
2013035197.tif 000012
【図１１】
2013035197.tif 000013
【図１２】
2013035197.tif 000014
【図１３】
2013035197.tif 000015
【図１４】
2013035197.tif 000016
【図１５】
2013035197.tif 000017
【図１６】
2013035197.tif 000018
【図１７】
2013035197.tif 000019
【図１８】
2013035197.tif 000020
【図１９】
2013035197.tif 000021
【図２０】
2013035197.tif 000022
【図２１】
2013035197.tif 000023
【図２２】
2013035197.tif 000024
【手続補正書】
【提出日】平成24年12月27日(2012.12.27)
【手続補正１】
【補正対象書類名】特許請求の範囲
【補正対象項目名】全文
【補正方法】変更
【補正の内容】
【特許請求の範囲】
【請求項１】
セグメントアドレス情報が記録された少なくとも１層のサーボ層及び複数の記録層を含む情報記録媒体において、
各々の前記記録層に、円周方向にわたって複数のセグメントに分割されたプリフォーマット領域が少なくとも一つ設けられ、
各々の前記記録層を識別する記録層識別情報を含む管理情報が、その記録層における少なくとも一つの前記セグメントに、半径方向に均一な形状をもつマークにより記録され、
隣接する前記記録層では、前記管理情報に係るマークが相異なるセグメントに記録され、
前記サーボ層は、各々の前記記録層について前記管理情報に係るマークが記録されている前記セグメントを特定可能とする情報を含むことを特徴とする情報記録媒体。
【請求項２】
各々の前記記録層には、その記録層の内周又は外周のいずれか一方のみに前記プリフォーマット領域が設けられることを特徴とする請求項１に記載の情報記録媒体。
【請求項３】
一つの前記記録層に係る前記管理情報は、その記録層におけるいずれか一つの前記セグメントに記録されることを特徴とする請求項２に記載の情報記録媒体。
【請求項４】
各々の前記記録層には、その記録層の内周及び外周の両方にそれぞれ前記プリフォーマット領域が設けられることを特徴とする請求項１に記載の情報記録媒体。
【請求項５】
一つの前記記録層に係る前記管理情報は、その記録層における内周の前記プリフォーマット領域又は外周に前記プリフォーマット領域のいずれか一方におけるいずれか一つの前記セグメントに記録されることを特徴とする請求項４に記載の情報記録媒体。
【請求項６】
隣接する前記記録層の前記管理情報に係るマークが、同一のセグメント及び隣接するセグメント以外のセグメントに記録されることを特徴とする請求項１に記載の情報記録媒体。
【請求項７】
異なる前記記録層の前記管理情報に係るマークが、異なるセグメントに記録されることを特徴とする請求項１に記載の情報記録媒体。
【請求項８】
複数の前記記録層の前記管理情報に係るＢＣＡマークが、同一のセグメントに記録される場合に、ＢＣＡマークにおける隣接するマークの間の間隔を、非フォーカス層となる記録層に形成されるスポット径よりも短くすることを特徴とする請求項１に記載の情報記録媒体。
【請求項９】
（削除）
【請求項１０】
セグメントアドレス情報が記録されたサーボ層及び複数の記録層を含む情報記録媒体を再生する情報再生装置において、
前記情報記録媒体は、
各々の前記記録層に、円周方向にわたって複数のセグメントに分割されたプリフォーマット領域が少なくとも一つ設けられ、
各々の前記記録層を識別する記録層識別情報を含む管理情報が、その記録層における少なくとも一つの前記セグメントに、半径方向に均一な形状をもつＢＣＡマークにより記録され、
隣接する前記記録層では、前記管理情報に係るＢＣＡマークが相異なるセグメントに記録され、
前記情報再生装置は、
前記サーボ層に記録されている前記セグメントアドレス情報をもとに、前記複数の記録層のうちの所望の記録層に係る前記プリフォーマット領域の特定のセグメントに記録されている前記管理情報を再生するためのタイミング情報を生成するための制御部を含むことを特徴とする情報再生装置。
【請求項１１】
セグメントアドレス情報が記録されたサーボ層及び複数の記録層を含む情報記録媒体を再生する情報再生装置の管理情報再生方法において、
前記情報記録媒体は、
各々の前記記録層に、円周方向にわたって複数のセグメントに分割されたプリフォーマット領域が少なくとも一つ設けられ、
各々の前記記録層を識別する記録層識別情報を含む管理情報が、その記録層における少なくとも一つの前記セグメントに、半径方向に均一な形状をもつＢＣＡマークにより記録され、
隣接する前記記録層では、前記管理情報に係るＢＣＡマークが相異なるセグメントに記録され、
前記管理情報再生方法は、
前記サーボ層に記録されている前記セグメントアドレス情報を再生し、
前記セグメントアドレス情報をもとに、前記複数の記録層のうちの所望の記録層に係る前記プリフォーマット領域の特定のセグメントに記録されている前記管理情報を再生するためのタイミング情報を生成することを特徴とする管理情報再生方法。
【請求項１２】
セグメントアドレス情報が記録されたサーボ層及び複数の記録層を含む情報記録媒体を再生する情報記録再生装置において、
前記情報記録媒体は、
各々の前記記録層に、円周方向にわたって複数のセグメントに分割されたプリフォーマット領域が少なくとも一つ設けられ、
各々の前記記録層を識別する記録層識別情報を含む管理情報が、その記録層における少なくとも一つの前記セグメントに、半径方向に均一な形状をもつＢＣＡマークにより記録され、
隣接する前記記録層では、前記管理情報に係るＢＣＡマークが相異なるセグメントに記録され、
前記情報再生装置は、
前記複数の記録層のうちの所望の記録層に係る前記プリフォーマット領域の特定のセグメントに記録されている前記管理情報に含まれる前記記録層識別情報が所望のものか否かを判定し、所望のものであると判定された場合に、該記録層識別情報を、当該記録層における所定の領域に、ユーザデータと同一の変調方式で記録するための制御部を含むことを特徴とする情報記録再生装置。
【請求項１３】
セグメントアドレス情報が記録されたサーボ層及び複数の記録層を含む情報記録媒体を再生する情報記録再生装置の識別情報再生記録方法において、
前記情報記録媒体は、
各々の前記記録層に、円周方向にわたって複数のセグメントに分割されたプリフォーマット領域が少なくとも一つ設けられ、
各々の前記記録層を識別する記録層識別情報を含む管理情報が、その記録層における少なくとも一つの前記セグメントに、半径方向に均一な形状をもつＢＣＡマークにより記録され、
隣接する前記記録層では、前記管理情報に係るＢＣＡマークが相異なるセグメントに記録され、
前記識別情報再生記録方法は、
前記複数の記録層のうちの所望の記録層に係る前記プリフォーマット領域の特定のセグメントに記録されている前記管理情報に含まれる前記記録層識別情報が所望のものか否かを判定し、
所望のものであると判定された場合に、該記録層識別情報を、当該記録層における所定の領域に、ユーザデータと同一の変調方式で記録することを特徴とする識別情報再生記録方法。
【請求項１４】
前記セグメントを特定可能とする情報は、前記記録層の記録層識別情報と、前記記録層において前記管理情報に係るマークが記録されている前記セグメントのセグメントアドレスとの対応関係を示す情報を含むことを特徴とする請求項１に記載の情報記録媒体。
【請求項１５】
各々の前記記録層に複数のプリフォーマット領域が設けられる場合に、前記セグメントを特定可能とする情報は、前記記録層の記録層識別情報と、前記記録層において前記管理情報に係るマークが記録されている前記プリフォーマット領域が前記複数のプリフォーマット領域のうちのいずれであるかを示す情報と、前記記録層において前記管理情報に係るマークが記録されている前記セグメントのセグメントアドレスとの対応関係を示す情報を含むことを特徴とする請求項１に記載の情報記録媒体。
【手続補正書】
【提出日】平成26年9月29日(2014.9.29)
【手続補正１】
【補正対象書類名】特許請求の範囲
【補正対象項目名】全文
【補正方法】変更
【補正の内容】
【特許請求の範囲】
【請求項１】
セグメントアドレス情報が記録された少なくとも１層のサーボ層及び複数の記録層を含む情報記録媒体において、
各々の前記記録層に、円周方向にわたって複数のセグメントに分割されたプリフォーマット領域が少なくとも一つ設けられ、前記記録層に設けられている前記セグメントの各々は、隣接する記録層に配置されている対応するセグメントに位置合わせされ、
各々の前記記録層を識別する記録層識別情報を含む管理情報が、その記録層における少なくとも一つの前記セグメントに、半径方向に均一な形状をもつマークの配列により記録され、
隣接する前記記録層では、前記管理情報に係るマークが互いに対向されないように周方向における相異なる位置に配置されたセグメントに記録され、
前記サーボ層には、各々の前記記録層についての情報であって、前記管理情報に係るマークが記録されている前記セグメントを特定可能とする情報が記録されていることを特徴とする情報記録媒体。
【請求項２】
各々の前記記録層には、その記録層の内周又は外周のいずれか一方のみに前記プリフォーマット領域が設けられることを特徴とする請求項１に記載の情報記録媒体。
【請求項３】
一つの前記記録層に係る前記管理情報は、その記録層におけるいずれか一つの前記セグメントに記録されることを特徴とする請求項２に記載の情報記録媒体。
【請求項４】
各々の前記記録層には、その記録層の内周及び外周の両方にそれぞれ前記プリフォーマット領域が設けられることを特徴とする請求項１に記載の情報記録媒体。
【請求項５】
一つの前記記録層に係る前記管理情報は、その記録層における内周の前記プリフォーマット領域又は外周の前記プリフォーマット領域のいずれか一方におけるいずれか一つの前記セグメントに記録されることを特徴とする請求項４に記載の情報記録媒体。
【請求項６】
隣接する前記記録層の前記管理情報に係るマークが、同一のセグメント及び隣接するセグメント以外のセグメントに記録されることを特徴とする請求項１に記載の情報記録媒体。
【請求項７】
異なる前記記録層の前記管理情報に係るマークが、異なるセグメントに記録されることを特徴とする請求項１に記載の情報記録媒体。
【請求項８】
複数の前記記録層の前記管理情報に係る前記マークが、同一のセグメントに記録される場合に、前記マークにおける隣接するマークの間の間隔を、非フォーカス層となる記録層に形成されるスポット径よりも短くすることを特徴とする請求項１に記載の情報記録媒体。
【請求項９】
セグメントアドレス情報が記録されたサーボ層及び複数の記録層を含む情報記録媒体を再生する情報再生装置において、
前記情報記録媒体は、
各々の前記記録層に、円周方向にわたって複数のセグメントに分割されたプリフォーマット領域が少なくとも一つ設けられ、前記記録層に設けられている前記セグメントの各々は、隣接する記録層に配置されている対応するセグメントに位置合わせされ、
各々の前記記録層を識別する記録層識別情報を含む管理情報が、その記録層における少なくとも一つの前記セグメントに、半径方向に均一な形状をもつＢＣＡマークの配列により記録され、
隣接する前記記録層では、前記管理情報に係るＢＣＡマークが互いに対向されないように周方向における相異なる位置に配置されたセグメントに記録され、
前記情報再生装置は、
前記サーボ層に記録されている前記セグメントアドレス情報を再生し、
前記セグメントアドレス情報をもとに、前記複数の記録層のうちの所望の記録層に係る前記プリフォーマット領域の特定のセグメントに記録されている前記管理情報を再生するためのタイミング情報を生成するための制御部
を含むことを特徴とする情報再生装置。
【請求項１０】
セグメントアドレス情報が記録されたサーボ層及び複数の記録層を含む情報記録媒体を再生する情報再生装置の管理情報再生方法において、
前記情報記録媒体は、
各々の前記記録層に、円周方向にわたって複数のセグメントに分割されたプリフォーマット領域が少なくとも一つ設けられ、前記記録層に設けられている前記セグメントの各々は、隣接する記録層に配置されている対応するセグメントに位置合わせされ、
各々の前記記録層を識別する記録層識別情報を含む管理情報が、その記録層における少なくとも一つの前記セグメントに、半径方向に均一な形状をもつＢＣＡマークの配列により記録され、
隣接する前記記録層では、前記管理情報に係るＢＣＡマークが互いに対向されないように周方向における相異なる位置に配置されたセグメントに記録され、
前記管理情報再生方法は、
前記サーボ層に記録されている前記セグメントアドレス情報を再生し、
前記セグメントアドレス情報をもとに、前記複数の記録層のうちの所望の記録層に係る前記プリフォーマット領域の特定のセグメントに記録されている前記管理情報を再生するためのタイミング情報を生成する
ことを特徴とする管理情報再生方法。
【請求項１１】
セグメントアドレス情報が記録されたサーボ層及び複数の記録層を含む情報記録媒体を再生する情報記録再生装置において、
前記情報記録媒体は、
各々の前記記録層に、円周方向にわたって複数のセグメントに分割されたプリフォーマット領域が少なくとも一つ設けられ、前記記録層に設けられている前記セグメントの各々は、隣接する記録層に配置されている対応するセグメントに位置合わせされ、
各々の前記記録層を識別する記録層識別情報を含む管理情報が、その記録層における少なくとも一つの前記セグメントに、半径方向に均一な形状をもつＢＣＡマークの配列により記録され、
隣接する前記記録層では、前記管理情報に係るＢＣＡマークが互いに対向されないように周方向における相異なる位置に配置されたセグメントに記録され、
前記情報再生装置は、
前記サーボ層に記録されている前記セグメントアドレス情報を再生し、
前記セグメントアドレス情報をもとに、前記複数の記録層のうちの所望の記録層に係る前記プリフォーマット領域の特定のセグメントに記録されている前記管理情報を再生するためのタイミング情報を生成し、
前記複数の記録層のうちの所望の記録層に係る前記プリフォーマット領域の特定のセグメントに記録されている前記管理情報に含まれる前記記録層識別情報が所望のものか否かを判定し、
所望のものであると判定された場合に、該記録層識別情報を、当該記録層における所定の領域に、ユーザデータと同一の変調方式で記録するための制御部
を含むことを特徴とする情報記録再生装置。
【請求項１２】
セグメントアドレス情報が記録されたサーボ層及び複数の記録層を含む情報記録媒体を再生する情報記録再生装置の識別情報再生記録方法において、
前記情報記録媒体は、
各々の前記記録層に、円周方向にわたって複数のセグメントに分割されたプリフォーマット領域が少なくとも一つ設けられ、前記記録層に設けられている前記セグメントの各々は、隣接する記録層に配置されている対応するセグメントに位置合わせされ、
各々の前記記録層を識別する記録層識別情報を含む管理情報が、その記録層における少なくとも一つの前記セグメントに、半径方向に均一な形状をもつＢＣＡマークの配列により記録され、
隣接する前記記録層では、前記管理情報に係るＢＣＡマークが互いに対向されないように周方向における相異なる位置に配置されたセグメントに記録され、
前記識別情報再生記録方法は、
前記サーボ層に記録されている前記セグメントアドレス情報を再生し、
前記セグメントアドレス情報をもとに、前記複数の記録層のうちの所望の記録層に係る前記プリフォーマット領域の特定のセグメントに記録されている前記管理情報を再生するためのタイミング情報を生成し、
前記複数の記録層のうちの所望の記録層に係る前記プリフォーマット領域の特定のセグメントに記録されている前記管理情報に含まれる前記記録層識別情報が所望のものか否かを判定し、
所望のものであると判定された場合に、該記録層識別情報を、当該記録層における所定の領域に、ユーザデータと同一の変調方式で記録することを特徴とする識別情報再生記録方法。
【請求項１３】
前記セグメントを特定可能とする情報は、前記記録層の記録層識別情報と、前記記録層において前記管理情報に係るマークが記録されている前記セグメントのセグメントアドレスとの対応関係を示す情報を含むことを特徴とする請求項１に記載の情報記録媒体。
【請求項１４】
各々の前記記録層に複数のプリフォーマット領域が設けられる場合に、前記セグメントを特定可能とする情報は、前記記録層の記録層識別情報と、前記記録層において前記管理情報に係るマークが記録されている前記プリフォーマット領域が前記複数のプリフォーマット領域のうちのいずれであるかを示す情報と、前記記録層において前記管理情報に係るマークが記録されている前記セグメントのセグメントアドレスとの対応関係を示す情報を含むことを特徴とする請求項１に記載の情報記録媒体。
【請求項１５】
前記記録層は、第１波長を有する第１ビームを利用して前記記録層から前記管理情報を再生する第１特性を有し、前記サーボ層は、第１波長とは異なる第２波長を有する第２ビームを利用して前記サーボ層から前記管理情報を再生する第２特性を有する請求項１４に記載の情報記録媒体。
【請求項１６】
前記サーボ層は、連続するランド間に連続するグルーブが形成されているランド・グルーブ構造を有し、セグメントアドレス情報が前記グルーブ或いは前記ランドから再生されるように、セグメントアドレス情報が前記グルーブに記録され、また、ランドに記録されている請求項１５に記載の情報記録媒体。
【国際調査報告】
2013035197.tif 000025
2013035197.tif 000026
2013035197.tif 000027
2013035197.tif 000028